(57)【要約】【課題】ＶｏＩＰ網から伝送されるビデオ通話の画像を第３のディスプレイ機器を介して提供することが可能なビデオ通話方法を提供すること。【解決手段】第１の移動通信端末が、第２の移動通信端末との間でビデオ通話サービスを接続するステップと、前記第１の移動通信端末が、前記第２の移動通信端末に対し画像を送受信するための装置を第３のディスプレイに変更することを要請するステップと、前記第１の移動通信端末が、前記第２の移動通信端末に対して前記第３のディスプレイに関する情報を伝送し、前記第２の移動通信端末が前記第３のディスプレイに／から画像を送受信するように制御するステップと、前記第１の移動通信端末が、前記第３のディスプレイに対して前記前記第２の移動通信端末に関する情報を伝送し、前記第３のディスプレイが前記第２の移動通信端末に／から画像を送受信するように制御するステップとを含むようにする。【選択図】図４
2006217592.tif 000002
【特許請求の範囲】
【請求項１】
第３のディスプレイを通じた画像提供を可能にするビデオ通話方法であって、
第１の移動通信端末が、第２の移動通信端末との間でビデオ通話サービスを接続する第１のステップと、
前記第１の移動通信端末が、前記第２の移動通信端末に対して、画像を送受信するための装置を第３のディスプレイに変更することを要請する第２のステップと、
前記第１の移動通信端末が、前記第２の移動通信端末に対して前記第３のディスプレイに関する情報を伝送して、前記第２の移動通信端末が前記第３のディスプレイに／から画像を送受信可能なようにする第３のステップと、
前記第１の移動通信端末が、前記第３のディスプレイに対して前記前記第２の移動通信端末に関する情報を伝送して、前記第３のディスプレイが前記第２の移動通信端末に／から画像を送受信可能なようにする第４のステップと、を含むことを特徴とする第３のディスプレイを通じた画像提供を可能にするビデオ通話方法。
【請求項２】
前記第１のステップは、
前記第１の移動通信端末及び前記第２の移動通信端末が、ＵＤＰ基盤のＳＩＰを用いたビデオ通話サービスセッションを設定する第５のステップと、
前記ビデオ通話サービスセッションの設定によりＲＴＰを介してリアルタイムに音声データを送受信して音声通話サービスを行う第６のステップと、
前記第１の移動通信端末及び前記第２の移動通信端末が、ビデオ通話プログラムを介して画像の提供を要請し、前記それぞれの移動通信端末に／から画像データを送受信することによりビデオ通話サービスセッションを設定する第７のステップと、を含むことを特徴とする請求項１に記載の第３のディスプレイを通じた画像提供を可能にするビデオ通話方法。
【請求項３】
前記第３のディスプレイに関する情報は、前記第３のディスプレイのＩＰアドレスであることを特徴とする請求項１または２に記載の第３のディスプレイを通じた画像提供を可能にするビデオ通話方法。
【請求項４】
前記第２の移動通信端末に関する情報は、前記第２の移動通信端末のＩＰアドレスであることを特徴とする請求項１または２に記載の第３のディスプレイを通じた画像提供を可能にするビデオ通話方法。
【請求項５】
前記第１の移動通信端末及び前記第２の移動通信端末並びに前記第３のディスプレイは、ＶｏＩＰ網を介して接続されることを特徴とする請求項１または２に記載の第３のディスプレイを通じた画像提供を可能にするビデオ通話方法。
【請求項６】
第３のディスプレイを通じた画像提供を可能にするビデオ通話方法であって、
第１の移動通信端末が、第２の移動通信端末とのビデオ通話サービスを接続する第１のステップと、
前記第１の移動通信端末が、前記第２の移動通信端末に対し画像を送受信するための装置を第３のディスプレイに変更することを要請する第２のステップと、
前記第１の移動通信端末が、前記第２の移動通信端末から受信した画像データを前記第３のディスプレイに伝送して、前記第３のディスプレイにて出力可能なようにする第３のステップと、を含むことを特徴とする第３のディスプレイを通じた画像提供を可能にするビデオ通話方法。
【請求項７】
前記第１の移動通信端末と前記第３のディスプレイは、近距離通信手段を介して接続されることを特徴とする請求項６に記載の第３のディスプレイを通じた画像提供を可能にするビデオ通話方法。
【発明の詳細な説明】
【技術分野】
【０００１】
本発明は、移動通信システムのビデオ通話方法に係り、より詳しくは、ＶｏＩＰ（Voice over Internet Protocol）網から伝送されるビデオ通話の画像を第３のディスプレイ装置を介して提供可能にするビデオ通話方法に関する。
【背景技術】
【０００２】
ＶｏＩＰは、これまでＰＳＴＮ（Public Switched Telephone Network）を介して行われていた音声サービスを、インターネットプロトコル（ＩＰ）を用いて提供する技術である。このようにＩＰ網を用いることにより、既存の電話網においては未だ提供し得なかった多様なサービスが提供可能となる。その代表的な応用例としては、ウェブコールセンター（web call center）、インスタンスメッセージ（instance message）、ＣＴＩ（computer Telephony Integration）、ＵＭＳ（Unified Messaging System）などが挙げられ、現在でもさらなる応用による種々のサービスを行おうとしている。
【０００３】
現在のＶｏＩＰは、ゲートウェイ、端末、及び呼接続エージェント（callconnection agent）により構成されている。ゲートウェイはＰＳＴＮ網とＩＰ網とを接続して互いに通信可能にし、呼接続エージェントがＭＧＣＰ（Media Gateway Control Protocol）というプロトコルを用いてゲートウェイを制御する。そして、ＶｏＩＰ網においては、基本的に、Ｈ．３２３及びＳＩＰ（Session Initiation Protocol）が、シグナリングプロトコル（signel Protocol）として用いられている。
【０００４】
一方、ＩＳ（International Standard）−９５Ｂ及び９５Ｃ以降の３世代の移動通信システムにおいては、データリンクの重要度が高まるに伴う種々のサービスが提案され、使用されている。その中でも、ビデオ通話技術は、どこからでも音声及び画像を伝送しながら通話可能であることから、今後、移動通信端末を用いたサービスの中核になると評価されている。
【０００５】
特に、ＶｏＩＰ網との接続を通じた全てのＩＰ基盤の移動通信システム（ALL-IP-based mobile communication system）においては、より一層の多様なビデオ通話サービスが提供可能になると予想される。
【０００６】
図１は、従来のビデオ通話システムの概略を示す例示図である。
【０００７】
図１に示すように、従来のビデオ通話システムは、移動通信端末（Ａ）１１及び移動通信端末（Ｂ）１２の間で互いに音声データを伝送するためのチャンネル１０１及び画像データを伝送するためのチャンネル１０２をそれぞれ接続し、それぞれの移動通信端末（Ａ）１１及び移動通信端末（Ｂ）１２のマイクとカメラを介して生成された音声データ及び画像データを各チャンネル１０１、１０２を介して相手方に伝送することにより、移動通信端末（１１，１２）を通じたビデオ通話が行われる。即ち、図１は、ＶｏＩＰ網１００を介して音声データ及び画像データを伝送するためのチャンネル（１０１，１０２）がそれぞれ接続されることを示している。
【０００８】
このように、従来のビデオ通話システムは、ある移動通信端末から音声データ及び画像データを相手方の移動通信端末に伝送することにより、互いに離れた位置にあるそれぞれの移動通信端末のユーザ同士で、音声及び画像による通話を可能にしている。
【０００９】
しかしながら、このように従来のビデオ通話システムは、その画像伝送の目的地がそれぞれの移動通信端末に限られるが故に、携帯性は高いとはいえ、相手方に画像を伝送するためには、画像を生成するためのカメラを手にした状態で画像を伝送しながら通話しなければならないという欠点があった。
【００１０】
さらに、従来のビデオ通話システムにおいては、移動通信端末の小さな表示画面（display screen）を介して画像を表示するため、実質的に相手方から高画質の画像を受信したとしても、その表示画面に表示することができないという不都合があった。
【発明の開示】
【発明が解決しようとする課題】
【００１１】
本発明は、上記事情に鑑みてなされたものであり、その目的は、ある所定のディスプレイ装置のＩＰ情報を相手方の移動通信端末に伝送し、ビデオ通話のために伝送される画像データを前記所定のディスプレイ装置を通じて提供することによって、ＶｏＩＰ網における第３のディスプレイを通じた画像提供を可能にすることのできるビデオ通話方法を提供することにある。
【課題を解決するための手段】
【００１２】
上記の目的を達成するために、本発明は、第３のディスプレイを通じた画像提供を可能にするビデオ通話方法であって、第１の移動通信端末が、第２の移動通信端末との間でビデオ通話サービスを接続する第１のステップと、前記第１の移動通信端末が、前記第２の移動通信端末に対し画像を送受信するための装置を第３のディスプレイに変更することを要請する第２のステップと、前記第１の移動通信端末が、前記第２の移動通信端末に対して前記第３のディスプレイに関する情報を伝送して、前記第２の移動通信端末が前記第３のディスプレイに／から画像を送受信可能なようにする第３のステップと、前記第１の移動通信端末が、前記第３のディスプレイに対して前記前記第２の移動通信端末に関する情報を伝送し、前記第３のディスプレイが前記第２の移動通信端末に／から画像を送受信可能なようにする第４のステップと、を含むことを特徴とする。
【００１３】
また、本発明は、第３のディスプレイを通じた画像提供を可能にするビデオ通話方法であって、第１の移動通信端末が、第２の移動通信端末とのビデオ通話サービスを接続する第１のステップと、前記第１の移動通信端末が、前記第２の移動通信端末に対し画像を送受信するための装置を第３のディスプレイに変更することを要請する第２のステップと、前記第１の移動通信端末が、前記第２の移動通信端末から受信した画像データを前記第３のディスプレイに伝送して、前記第３のディスプレイにて出力可能なようにする第３のステップと、を含むことを特徴とする。
【発明の効果】
【００１４】
本発明によれば、ビデオ通話のために伝送される画像データを所定のディスプレイ装置を介して表示することを可能にしたことにより、ビデオ通話時においてユーザの使い勝手を良くすることが可能であるという効果がある。また、本発明によれば、別のディスプレイ装置を介して画像を受信できるので、高画質の画像データを出力することが可能になるという効果がある。
【００１５】
上述した如き本発明の方法は、プログラムにより実現され、コンピュータにて読み取り可能な形態で記録媒体（例えば、ＣＤ−ＲＯＭ、ＲＡＭ、フレキシブルディスク、ハードディスク、光磁気ディスクなど）に記憶させておくことが可能である。
【発明を実施するための最良の形態】
【００１６】
以下、添付図面を参照しながら、本発明の好適な一実施形態を詳しく説明する。なお、図中、できる限り同じ構成要素に対しては、たとえそれらが別の図面に示されているとしても、同じ参照符号及び符号を付すことによって重複説明を省略する。また、下記の説明及び添付図面において、本発明の要旨を不明瞭にすると判断される公知の技術及び構成についての詳細な説明は省略する。
【００１７】
図２Ａ及び図２Ｂは、本発明の一実施形態に従う第３のディスプレイを通じた画像提供を可能にするビデオ通話方法が適用されるＶｏＩＰ網におけるビデオ通話システムの構成を示す例示図である。
【００１８】
ここで、図２Ａは、本発明の一実施形態に従う第３のディスプレイを通じた画像提供を可能にするビデオ通話方法のための設定動作を示す例示図である。
【００１９】
図２Ａに示すように、本発明の一実施形態に従う第３のディスプレイを通じた画像提供を可能にするビデオ通話方法は、移動通信端末（Ａ）２１及び移動通信端末（Ｂ）２２の間で互いに音声データを伝送するためのチャンネル２０１及び画像データを伝送するためのチャンネル２０２をそれぞれ接続し、それぞれの移動通信端末（Ａ）２１及び移動通信端末（Ｂ）２２のマイクとカメラを介して生成された音声データ及び画像データを、各チャンネル２０１、２０２を介して相手方に伝送することにより、移動通信端末（２１，２２）を通じたビデオ通話が行われる。即ち、本発明の一実施形態においては、ＶｏＩＰ網１００を介して音声データ及び画像データを伝送するためのチャンネル（２０１，２０２）がそれぞれ接続されることを示している。
【００２０】
このとき、移動通信端末（Ｂ）２２において、移動通信端末（Ａ）２１から伝送される画像を、宅内のＴＶなどのディスプレイ２３を介して受信したい場合、移動通信端末（Ｂ）２２は、移動通信端末（Ａ）２１に対して該当ディスプレイ２３に関する情報として該当ディスプレイ２３のＩＰアドレスを伝送し、そして画像データを伝送するための既存のチャンネル２０２を切断して、画像データの伝送のための新たなチャンネルを該当ディスプレイ２３との間で確立することを要請する（２０３）。
【００２１】
さらに、移動通信端末（Ｂ）２２は、ディスプレイ２３に対して移動通信端末（Ａ）２１に関する情報として該当移動通信端末（Ａ）２１のＩＰアドレスを伝送し（２０４）、これにより、画像データを伝送するための新たなチャンネルが確立されたときに、ディスプレイ２３が画像データの出発地アドレス（source address）を確認可能なようにする。
【００２２】
図２Ｂは、図２Ａの設定動作により画像データを伝送するための新たなチャンネル２０５が確立された状態を例示している。
【００２３】
すなわち、図２Ｂは、移動通信端末（Ａ）２１と移動通信端末（Ｂ）２２との間で互いに音声データを伝送するためのチャンネル２０１はそのまま保持され、図２Ａにおける画像データを伝送するためのチャンネル２０２は切断されるが、移動通信端末（Ａ）２１とディスプレイ２３との間に画像データを伝送するための新たなチャンネル２０５が確立されることを示している。
【００２４】
そして、移動通信端末（Ａ）２１は、音声データについては既存のチャンネル２０１を介して移動通信端末Ｂ２２に伝送し、画像データについては新たに確立されたチャンネル２０５を介してディスプレイ２３に伝送する。
【００２５】
このように、本発明の一実施形態に従う第３のディスプレイを通じた画像提供を可能にするビデオ通話方法においては、ディスプレイ２３が自己のＩＰアドレスを有していることが必要である。言い換えると、ディスプレイ２３がＩＰアドレスを有していなければ、移動通信端末（Ａ）２１は、画像データの送信先を探すことができない。
【００２６】
このような図２Ａ及び図２Ｂに示す構成により、移動通信端末（Ｂ）２２のユーザは、例えばＴＶなどのディスプレイ２３を介して相手方の画像を見ながら移動通信端末（Ｂ）２２を通じたビデオ通話を行うことが可能になる。
【００２７】
ここで、ディスプレイ２３とは、ＴＶに限られずＩＰアドレスを有しているあらゆるディスプレイ装置を適用可能である。そしてディスプレイ装置は、移動通信端末の表示画面に比して大きい表示画面を有し、且つ種々のフォーマットの画像データを受信して出力可能であるため、相手方から伝送されてくる画像データが高解像度のものであったとしても、解像度の損失無しに出力することが可能になる。なお、以上の説明では、移動通信端末（Ｂ）２２側での動作例を記述したが、移動通信端末（Ａ）２１側においても同様の設定動作を行うことによって第３のディスプレイを通じたビデオ通話を可能にすることができる。
【００２８】
図３は、本発明の他の実施形態に従う第３のディスプレイを通じた画像提供を可能にするビデオ通話方法が適用されるＶｏＩＰ網におけるビデオ通話システムの構成を示す例示図である。
【００２９】
図３に示すように、本発明の他の実施形態に従う第３のディスプレイを通じた画像提供を可能にするビデオ通話方法が適用されるＶｏＩＰ網におけるビデオ通話システムは、既存のビデオ通話の接続（つまり画像データ伝送用のチャンネル）を切断することなく、ディスプレイ３３への画像データの伝送を移動通信端末（Ｂ）３２において行う構成である。
【００３０】
すなわち、移動通信端末（Ａ）３１と移動通信端末（Ｂ）３２との間で互いに音声データを伝送するためのチャンネル３０１及び画像データを伝送するためのチャンネル３０２をそれぞれ接続し、それぞれの移動通信端末（Ａ）３１及び移動通信端末（Ｂ）３２のマイクとカメラを介して生成された音声データ及び画像データを各チャンネル３０１、３０２を介して相手方に伝送することにより、移動通信端末（２１，２２）を通じたビデオ通話が行われるが、移動通信端末（Ｂ）３２が移動通信端末（Ａ）３１から受信した画像データをディスプレイ３３に伝送し（３０３）、該当ディスプレイ３３を介して画像データを表示する構成である。即ち、ＶｏＩＰ網１００を介して音声データ及び画像データを伝送するためのチャンネル（３０１，３０２）、及び移動通信端末（Ｂ）３２がディスプレイ３３に画像データを伝送するためのチャンネル３０３が接続されることを示している。
【００３１】
ここで、図３に示す実施形態では移動通信端末（Ｂ）３２とディスプレイ３３との間で画像データを伝送するためのチャンネルは、ＶｏＩＰ網１００を介して接続されることを想定しているが、これに限定されることなく、ブルートゥース（登録商標）、ジグビー、無線ＬＡＮなど種々の近距離通信方式により接続可能であることは言うまでもない。
【００３２】
図４は、本発明の一実施形態に従う第３のディスプレイを通じた画像提供を可能にするビデオ通話方法のタイミングダイアグラム図である。
【００３３】
図４は、本発明の一実施形態に従う第３のディスプレイを通じた画像提供を可能にするビデオ通話方法の手順を、図２Ａ及び図２Ｂに示す構成と対応付けて例示している。
【００３４】
先ず、移動通信端末（Ａ）２１及び移動通信端末（Ｂ）２２はビデオ通信サービスの接続を行う。より詳しくは、移動通信端末（Ａ）２１及び移動通信端末（Ｂ）２２は、ＵＤＰ（User Datagram Protocol）基盤のＳＩＰ（Session Initiation Protocol）によりビデオ通話サービスセッションを設定し（ステップＳ４０１、Ｓ４０２）、ＲＴＰ（Real-Time transport Protocol）を介してリアルタイムに音声データを互いに送受信することにより、移動通信端末（Ａ）２１及び移動通信端末（Ｂ）２２の間で音声通話が可能になる（ステップＳ４０３）。
【００３５】
次いで、ユーザが自己の移動通信端末の備えた操作キーなどの操作手段（不図示）を操作することによって、移動通信端末（Ａ）２１及び移動通信端末（Ｂ）２２に予め格納されているビデオ通話プログラムを介して”ビデオオン（ＶＩＤＥＯ ＯＮ）”を要請する
と（ステップＳ４０４）、それぞれの移動通信端末２１、２２に取り付けられているカメラのデバイスドライバから画像データを、移動通信端末２１、２２のデータ処理部（不図示）が受け取り、Ｈ．２６１をコーデックに用いて画像データを送受信する（ステップＳ４０５）。
【００３６】
ここで、本発明の一実施形態に従う第３のディスプレイを通じた画像提供を可能にするビデオ通話方法においては、ユーザが自己の移動通信端末の備えた操作キーなどの操作手段（不図示）を操作することによって、第１の移動通信端末である移動通信端末（Ｂ）２２がユーザから画像の送受信装置を変更せよとの指令を受け取り（ステップ４０６）、変更を予定するディスプレイ装置であるディスプレイ２３のＩＰアドレスを含む画像サーバ変更メッセージを第２の移動通信端末である移動通信端末（Ａ）２１に伝送する（ステップＳ４０７）。さらに、変更予定のディスプレイ２３に対し画像データの伝送元である移動通信端末（Ａ）２１のＩＰアドレスを含む画像サーバ変更メッセージを伝送する（ステップＳ４０８）。
【００３７】
そして、移動通信端末（Ａ）２１と移動通信端末（Ｂ）２２との間において画像データを伝送するための既存のチャンネルの接続を切断し（ステップＳ４０９）、移動通信端末（Ａ）２１とディスプレイ２３との間において画像データを送受信するための新たなチャンネルを確立して、画像データを送受信する（ステップＳ４１０）。このとき、音声データの送受信は、依然として、移動通信端末（Ａ）２１と移動通信端末（Ｂ）２２との間において確立されている既存のチャンネル２０１を介して行われる。
【００３８】
以上述べたように、本発明の一実施の形態に従う第３のディスプレイは、画像データを受け取って表示することを例示しているが、該当ディスプレイにカメラなどの画像生成装置が取り付けられている場合、それを介して生成された画像データを相手方の移動通信端末に提供することが可能である。
【００３９】
以上、本発明の詳細な説明の欄においては具体的な実施の形態について詳述したが、本発明はこれに限定されるものではなく、本発明の範囲を逸脱しない限り、各種の実施形態が提供可能である。よって、本発明の真の技術的な範囲は、上述の実施形態に限定されるものではなく、特許請求の範囲の記載及びその均等なものに基づいて定められるべきである。
【図面の簡単な説明】
【００４０】
【図１】従来のビデオ通話システムの概略構成を示す例示図である。
【図２Ａ】本発明の一実施の形態に従う第３のディスプレイを通じた画像提供を可能にするビデオ通話方法が適用されるＶｏＩＰ網におけるビデオ通話システムの構成を示す例示図である。
【図２Ｂ】本発明の一実施の形態に従う第３のディスプレイを通じた画像提供を可能にするビデオ通話方法が適用されるＶｏＩＰ網におけるビデオ通話システムの構成を示す例示図である。
【図３】本発明の他の実施の形態に従う第３のディスプレイを通じた画像提供を可能にするビデオ通話方法が適用されるＶｏＩＰ網におけるビデオ通話システムの構成を示す例示図である。
【図４】本発明の一実施の形態に従う第３のディスプレイを通じた画像提供を可能にするビデオ通話方法のタイミングダイアグラム図である。
【符号の説明】
【００４１】
２１  端末Ａ
２２  端末Ｂ
２３  ディスプレイ
１００  ＶｏＩＰ網
【図１】
2006217592.tif 000003
【図２Ａ】
2006217592.tif 000004
【図２Ｂ】
2006217592.tif 000005
【図３】
2006217592.tif 000006
【図４】
2006217592.tif 000007